(57)【要約】【課題】全天候型であって、１つの構成部品で冷暖房、除湿、および加湿を行うことのできる家畜舎システムを提供する。【解決手段】  家畜舎システム１は、家畜が養育される家畜舎１０と、冷熱および温熱の少なくとも一方を取り出し可能なヒートポンプ２０と、家畜舎内の温度および湿度を調整する調整部５０と、を有し、調整部は、調整部の内部を、ヒートポンプから取り出される温熱によって加熱される第１媒体が循環する加熱経路３０、およびヒートポンプから取り出される冷熱によって冷却される第２媒体が循環する冷却経路４０が通過するように構成されるとともに、家畜舎内を加湿するための加湿部５２を備える。【選択図】図１
2019087335.tif 000002
【特許請求の範囲】
【請求項１】
家畜が養育される家畜舎と、
冷熱および温熱の少なくとも一方を取り出し可能なヒートポンプと、
前記家畜舎内の温度および湿度を調整する調整部と、を有し、
前記調整部は、当該調整部の内部を、前記ヒートポンプから取り出される前記温熱によって加熱される第１媒体が循環する加熱経路、および前記ヒートポンプから取り出される前記冷熱によって冷却される第２媒体が循環する冷却経路が通過するように構成されるとともに、前記家畜舎内を加湿するための加湿部を備える家畜舎システム。
【請求項２】
前記調整部は、前記加熱経路および前記冷却経路を洗浄する洗浄部を有する請求項１に記載の家畜舎システム。
【請求項３】
前記調整部には、前記家畜舎内への鳥の侵入を防止するフィンが取り付けられている請求項１または２に記載の家畜舎システム。
【請求項４】
前記調整部のうち前記家畜舎の舎内側には、前記調整部から噴出される風の向きを調整する調整板が設けられる請求項１〜３のいずれか１項に記載の家畜舎システム。
【請求項５】
デシカント方式によって、前記家畜舎内を除湿する請求項１〜４のいずれか１項に記載の家畜舎システム。
【発明の詳細な説明】
【技術分野】
【０００１】
本発明は、家畜舎システムに関する。
【背景技術】
【０００２】
家畜舎システムでは、家畜の養育環境を良好に保つことが求められている。例えば、養鶏システムでは、鶏の養育環境を良好に保つため、冬期の寒さ対策と、夏期の暑さ対策を講じる必要がある。【０００３】
夏期の暑さ対策を講じる方法として、下記の特許文献１には、鶏舎の一端に備えられた冷水フィルタへ大量の水を散水して気化させ、気化熱で鶏舎内を冷却することが開示されている。鶏舎内を冷却した後の空気は、鶏舎の他端に設けられる排気ファンによって、鶏舎から廃棄される。冷水フィルタは網目状のものであり、空気が通過できるよう多数の空隙を備えている。
【先行技術文献】
【特許文献】
【０００４】
【特許文献１】特開平９−１３５６４８号公報
【発明の概要】
【発明が解決しようとする課題】
【０００５】
特許文献１に開示された冷水フィルタは、使用時において外気の好天候と低湿度が条件となる。このため、この冷水フィルタは、雨天や梅雨の時期において、鶏舎内を好適に冷却することができない。また、冬期の寒さ対策を講じる場合は、この冷水フィルタに加えて、暖房用のデバイスを別途設ける必要があるため、冷暖房する部品の部品点数およびコストが増大する。【０００６】
一方、鶏舎内をより好適な養育環境にするために、鶏舎内を除湿および加湿することも求められている。【０００７】
本発明は、上記課題を解決するために発明されたものであり、全天候型であって、１つの構成部品で冷暖房、除湿、および加湿を行うことのできる家畜舎システムを提供することを目的とする。
【課題を解決するための手段】
【０００８】
上記目的を達成する本発明に係る家畜舎システムは、家畜が養育される家畜舎と、冷熱および温熱の少なくとも一方を取り出し可能なヒートポンプと、前記家畜舎内の温度および湿度を調整する調整部と、を有する。前記調整部は、当該調整部の内部を、前記ヒートポンプから取り出される前記温熱によって加熱される第１媒体が循環する加熱経路、および前記ヒートポンプから取り出される前記冷熱によって冷却される第２媒体が循環する冷却経路が通過するように構成されるとともに、前記家畜舎内を加湿するための加湿部を備える。
【発明の効果】
【０００９】
上述のように構成した家畜舎システムによれば、ヒートポンプから取り出される温熱によって加熱される第１媒体の加熱経路の循環をオフにするとともに、ヒートポンプから取り出される冷熱によって冷却される第２媒体の冷却経路の循環をオンにすることによって、鶏舎内を冷房できる。また、ヒートポンプから取り出される温熱によって加熱される第１媒体の加熱経路の循環をオンにするとともに、ヒートポンプから取り出される冷熱によって冷却される第２媒体の冷却経路の循環をオフにすることによって、鶏舎内を暖房できる。また、ヒートポンプから取り出される冷熱によって冷却される第２媒体の冷却経路の循環をオンにすることによって、鶏舎内を除湿できる。また、加湿部によって鶏舎内を加湿できる。以上から、全天候型であって、１つの構成部品（調整部）で冷暖房、除湿、および加湿を行うことのできる家畜舎システムを提供することができる。
【図面の簡単な説明】
【００１０】
【図１】本実施形態に係る養鶏システムを示す系統図である。
【図２】本実施形態に係る養鶏システムのヒートポンプを示す系統図である。
【図３】調整板が下側に傾斜したときの養鶏システムを示す系統図である。
【図４】変形例に係る養鶏システムを示す概略斜視図である。
【発明を実施するための形態】
【００１１】
本発明の実施形態を、図１〜図３を参照しつつ説明する。なお、図面の説明において同一の要素には同一の符号を付し、重複する説明を省略する。図面の寸法比率は、説明の都合上誇張されており、実際の比率とは異なる場合がある。
【００１２】
本実施形態では、家畜舎システムとして、鶏を養育する養鶏システムを例に挙げて説明する。
【００１３】
図１は、本実施形態に係る養鶏システム（家畜舎システム）１を示す系統図である。図２は、本実施形態に係る養鶏システム１のヒートポンプ２０を示す系統図である。図３は、調整板５５が下側に傾斜したときの養鶏システム１を示す系統図である。
【００１４】
養鶏システム１は、図１に示すように、鶏が養育される鶏舎１０と、冷熱および温熱を同時に取り出し可能なヒートポンプ２０と、鶏舎１０内を加熱する加熱経路３０と、鶏舎１０内を冷却する冷却経路４０と、鶏舎１０内の温度および湿度を調整する調整部５０と、鶏舎１０内の空気を排気する排気ファン６０と、鶏舎１０内を殺菌する殺菌装置７０と、を有する。
【００１５】
鶏舎１０は、図１に示すように、床面１１と、左側壁１２と、右側壁１３と、を有する。床面１１には、例えば敷きわらが配置され、その上で雛や鶏が飼育される。床面１１の床下には、加熱経路３０が配設されている。
【００１６】
左側壁１２には、調整部５０が取り付けられている。また、右側壁１３には、排気ファン６０が取り付けられている。
【００１７】
ヒートポンプ２０は、冷熱および温熱を同時に取り出し可能に構成されている。また、ヒートポンプ２０は、後述する加熱タンク３２および冷却タンク４２とともに、温熱のみまたは冷熱のみを取り出し可能にも構成されている。ヒートポンプ２０は電気式であるため、火気を使用することがなく、火災の心配が不要である。以下、ヒートポンプ２０の構成について、図２を参照して、詳述する。
【００１８】
ヒートポンプ２０は、図２に示すように、冷媒が循環する冷媒流路２１と、冷媒を圧縮する圧縮機２２と、冷媒を膨張する膨張弁２３と、加熱経路３０内を循環する第１媒体に温熱を供給する温熱熱交換器２４と、冷却経路４０内を循環する第２媒体に冷熱を供給する冷熱熱交換器２５と、を有する。なお、冷媒流路２１を循環する冷媒としては、特に限定されないが、例えば二酸化炭素を用いることができる。
【００１９】
圧縮機２２は、冷媒流路２１に設けられる。圧縮機２２は、特に限定されないが、例えば、ＣＯ２圧縮機を用いることができる。冷媒が圧縮機２２を通過する際に圧縮されることによって、圧縮機２２は冷媒の温度を上昇させる。
【００２０】
膨張弁２３は、冷媒流路２１に設けられる。冷媒が膨張弁２３を通過する際に膨張されることによって、膨張弁２３は冷媒の温度を低下させる。
【００２１】
温熱熱交換器２４は、圧縮機２２から膨張弁２３までの間に配置される。温熱熱交換器２４は、圧縮機２２から膨張弁２３に向かって循環する高温の冷媒により、加熱経路３０内を循環する第１媒体を加熱する。ここで、温熱熱交換器２４によって加熱される第１媒体の温度は、例えば６５℃または９０℃とすることができる。
【００２２】
冷熱熱交換器２５は、膨張弁２３から圧縮機２２までの間に配置される。冷熱熱交換器２５は、膨張弁２３から圧縮機２２に向かって循環する低温の冷媒により、冷却経路４０内を循環する第２媒体を冷却する。ここで、冷熱熱交換器２５によって冷却される第２媒体の温度は、例えば７〜１０℃である。
【００２３】
以上のように構成されたヒートポンプ２０によれば、温熱熱交換器２４は、加熱経路３０内を循環する第１媒体を加熱するとともに、冷熱熱交換器２５は、冷却経路４０内を循環する第２媒体を冷却する。このため、ヒートポンプ２０は、温熱および冷熱を同時に取り出し可能な状態となる。
【００２４】
図１に戻って、加熱経路３０は、ヒートポンプ２０から取り出される温熱によって加熱される第１媒体が内部を循環することによって、鶏舎１０内を加熱する。加熱経路３０は、図１に示すように、温熱熱交換器２４から温熱を受け取る第１加熱経路３１と、温熱熱交換器２４から温熱を受け取った第１媒体が貯蔵される加熱タンク３２と、鶏舎１０の床下に配設される第２加熱経路３３と、一部が調整部５０の内部を通過する第３加熱経路３４と、を有する。
【００２５】
第１加熱経路３１内の第１媒体の循環は、第１加熱ポンプＰ１によって行われる。第２加熱経路３３内の第１媒体の循環は第２加熱ポンプＰ２によって行われる。また、第１加熱経路３１、第２加熱経路３３、および第３加熱経路３４内を循環する第１媒体は、特に限定されないが、例えば水である。
【００２６】
第１加熱経路３１の内部は、温熱熱交換器２４から温熱を受け取った第１媒体が循環する。そして、加熱タンク３２には、温熱熱交換器２４から温熱を受け取った第１媒体が貯蔵される。このように加熱タンク３２に第１媒体が貯蔵されることによって、所望のタイミングで第１媒体を第２加熱経路３３に送ることができる。
【００２７】
第２加熱経路３３は、分岐部Ｊ１において、第３加熱経路３４と分岐される。第３加熱経路３４は、合流部Ｊ２において、第２加熱経路３３に合流する。
【００２８】
第１加熱経路３１、第２加熱経路３３、第３加熱経路３４を構成するパイプの外周には、防食性を持たせることが好ましい。
【００２９】
冷却経路４０は、図１に示すように、ヒートポンプ２０から取り出される冷熱によって冷却される第２媒体が内部を循環することによって、鶏舎１０内を冷却する。冷却経路４０は、冷熱熱交換器２５から冷熱を受け取る第１冷却経路４１と、冷熱熱交換器２５から冷熱を受け取った第２媒体が貯蔵される冷却タンク４２と、一部が調整部５０の内部を通過する第２冷却経路４３と、を有する。
【００３０】
第１冷却経路４１内の第２媒体の循環は、図１に示すように、第１冷却ポンプＰ３によって行われる。第２冷却経路４３内の第２媒体の循環は第２冷却ポンプＰ４によって行われる。第１冷却経路４１および第２冷却経路４３内を循環する第２媒体は、特に限定されないが、例えば水である。
【００３１】
第１冷却経路４１の内部は、冷熱熱交換器２５から冷熱を受け取った第２媒体が循環する。そして、冷却タンク４２には、冷熱熱交換器２５から冷熱を受け取った第２媒体が貯蔵される。このように冷却タンク４２に第２媒体が貯蔵されることによって、所望のタイミングで第２媒体を第２冷却経路４３に送ることができる。
【００３２】
第１冷却経路４１および第２冷却経路４３を構成するパイプの外周には、防食性を持たせることが好ましい。
【００３３】
このように加熱経路３０および冷却経路４０が設けられるため、第２加熱ポンプＰ２をオンに第２冷却ポンプＰ４をオフにすることによって、温熱のみを取り出し可能になる。一方、第２加熱ポンプＰ２をオフに第２冷却ポンプＰ４をオンにすることによって、冷熱のみを取り出し可能になる。
【００３４】
調整部５０は、鶏舎１０内の温度および湿度を調整する。調整部５０は、上述したように、内部を、第３加熱経路３４および第２冷却経路４３が通過するように構成されている。
【００３５】
調整部５０は、ケース５１と、鶏舎１０内を加湿するための加湿部５２と、第３加熱経路３４および第２冷却経路４３を洗浄する洗浄部５３と、を有する。加湿部５２は、ケース５１の内部に水を噴霧する。
【００３６】
ケース５１の下面には、第３加熱経路３４および第２冷却経路４３が通過するための開口部５１ａが形成されている。また、ケース５１の下面は、右下向きとなるようにテーパ状に構成されている。このため、加湿部５２および洗浄部５３から出た水は、調整部５０の下面において右下側に移動して、右下側に設けられる排水口（不図示）から排水される。このため、ケース５１内に水が溜まることを防止できる。
【００３７】
ケース５１の左側面５１ｂには、鶏舎１０内に鳥が侵入することを防止するためのフィン５４が設けられている。フィン５４の厚みは、鳥が侵入しようとする際に破壊されない程度の強度を有する必要があることから、例えば１ｍｍ以上であることが好ましい。また、フィン５４の数は、特に限定されないが、例えば６本である。フィン５４は、鳥が侵入することを防止するために、下側に傾斜するように配置されていることが好ましい。なお、フィン５４は、上側に傾斜するように配置されていてもよい。
【００３８】
加湿部５２は、ケース５１内を通過する第２冷却経路４３の舎外側（図１の左側）に設けられる。加湿部５２は、水が貯蔵された第１貯蔵部５２１と、第１貯蔵部５２１に貯蔵された水をケース５１の内部に供給する第１供給部５２２と、を有する。第１供給部５２２から供給される水は、霧状でケース５１内を下向きに移動する。
【００３９】
洗浄部５３は、ケース５１内を通過する第３加熱経路３４および第２冷却経路４３の上方に設けられる。洗浄部５３は、水が貯蔵された第２貯蔵部５３１と、第２貯蔵部５３１に貯蔵された水を第３加熱経路３４および第２冷却経路４３に向けて供給する第２供給部５３２と、を有する。第２供給部５３２から供給される水は、霧状であっても滴状であってもよい。第２供給部５３２から供給される水は、ケース５１内を通過する第３加熱経路３４および第２冷却経路４３に向けて移動し、ケース５１内の第３加熱経路３４および第２冷却経路４３を洗浄する。
【００４０】
調整部５０のケース５１の右側には、ファンＦ１が配置されている。ファンＦ１は、調整部５０内の空気や霧状の水を鶏舎１０内に供給する。
【００４１】
ファンＦ１の右側には、ファンＦ１によって鶏舎１０内に供給される風の向きを調整する調整板５５が設けられる。調整板５５は、図１に示す水平方向の状態から時計回りに回転して、図３に示す下側に傾斜した状態となるように、回転自在に構成されている。
【００４２】
図１に示すように調整板５５を水平方向にすることで、調整部５０から鶏舎１０内に供給される風の向きは水平方向となる。このとき、鶏舎１０内において養育される鶏または雛に対して、風が直接照射されない。一方、図３に示すように調整板５５を右下向きにすることで、調整部５０から鶏舎１０内に供給される風の向きは右下向きとなる。このとき、鶏舎１０内において養育される鶏または雛に対して、風が直接照射される。
【００４３】
以上説明した調整部５０において、第２加熱ポンプＰ２を停止して第１媒体の第３加熱経路３４の循環をオフにするとともに、第２冷却ポンプＰ４を作動して第２媒体の第２冷却経路４３の循環をオンにすることによって、鶏舎１０内を冷房できる。
【００４４】
また、調整部５０において、第２加熱ポンプＰ２を作動して第１媒体の第３加熱経路３４の循環をオンにするとともに、第２冷却ポンプＰ４を停止して第２媒体の第２冷却経路４３の循環をオフにすることによって、鶏舎１０内を暖房できる。
【００４５】
また、調整部５０において、第２加熱ポンプＰ２を停止して第１媒体の第３加熱経路３４の循環をオフにするとともに、第２冷却ポンプＰ４を作動して第２媒体の第２冷却経路４３の循環をオンにすることによって、第２媒体によって調整部５０近傍の空気を冷却して、湿気を水滴に変え結露させて排除することで、乾燥した空気を放出して、鶏舎１０内を除湿できる。
【００４６】
また、調整部５０において、加湿部５２によってケース５１内に水を噴霧して、霧状の水分が鶏舎１０内に供給されることで、鶏舎１０内を加湿できる。
【００４７】
殺菌装置７０は、鶏舎１０内に設けられ、鶏舎１０内を殺菌する。殺菌装置７０としては、例えば、エキシマランプを用いることができる。このように殺菌装置７０としてエキシマランプを用いることによって、拡散性の良いオゾン、ラジカルが発生して、殺菌、ウイルスの増殖を抑えて、においやアンモニアに対する消臭効果を高くすることができる。よって快適な環境を実現することにより幼雛の成長を安全に促進させることができる。なお、殺菌装置として、放電式オゾナイザを用いてもよい。
【００４８】
次に、本実施形態に係る養鶏システム１による鶏または雛の養育方法について説明する。以下、季節が夏期、冬期の場合に分けて、養鶏システム１による鶏の養育方法について説明する。
【００４９】
まず、夏期の場合について説明する。夏期では近年の温暖化により、鶏舎１０内が急激に温度上昇し、鶏の熱死が多発している。このため、鶏舎１０内を冷房することが好ましい。
【００５０】
夏期では、第２加熱ポンプＰ２をオフに第２冷却ポンプＰ４をオンにすることによって、冷熱のみを取り出し可能にする。
【００５１】
これによって調整部５０から鶏舎１０内に冷風が供給され、鶏舎１０内を冷房する。
【００５２】
ここで、鶏舎１０内において鶏を養育している際は、調整板５５は、図３に示すように、下側に傾斜させる。鶏は、汗腺が無く、羽毛に覆われているため、発汗による体温調節ができず、熱が放散されにくく体内に熱がこもりやすい。このため、急激な外気温度の上昇があると体温調整が追いつかない。このように調整板５５を下側に傾斜することによって、鶏に直接冷風が照射されることになるため、鶏に対して、好適な養育環境を提供することができる。
【００５３】
一方、鶏舎１０内において雛を養育している際は、調整板５５は、図１に示すように、水平方向にする。雛は羽毛が少ないため、風が直接照射されると、急激に体温が降下して健康を害してしまう虞がある。このように調整板５５を水平方向にすることによって、雛には冷風が照射されないため、雛の体温が急激に低下することを抑制することができ、雛に対して、好適な養育環境を提供することができる。なお、鶏舎１０内で雛が養育されている際は、第２加熱ポンプＰ２を作動させるとともに、第２冷却ポンプＰ４を作動させてもよい。このとき、第２加熱経路３３による床暖房によって、床面１１を暖めることができる。このとき、調整部５０は、上述したように、鶏舎１０内を除湿することができる。
【００５４】
次に、冬期の場合について説明する。冬期では、急激な外気気温の低下に対応できるよう、鶏舎１０内を高温環境にするとともに、鶏舎１０内を加湿することが好ましい。
【００５５】
冬期では、第２加熱ポンプＰ２をオンに第２冷却ポンプＰ４をオフにすることによって、温熱のみを取り出し可能とする。
【００５６】
これによって、第２加熱経路３３は、鶏舎１０の床下から、鶏舎１０内を暖房する。また、調整部５０から鶏舎１０内に温風が供給され、鶏舎１０内を暖房する。したがって、鶏や雛に対して、好適な養育環境を提供することができる。
【００５７】
また、加湿部５２によってケース５１内に水を噴霧して、霧状の水分が鶏舎１０内に供給されることで、鶏舎１０内を加湿する。このように鶏舎１０内を加湿することによって、鶏舎１０内の鶏に、鳥インフルエンザが発症することを好適に防止することができる。
【００５８】
なお、春期や秋期のような中間期では、その日の気温に応じて、上述した夏期のモードおよび冬期のモードを適宜切り替えて使用される。また、梅雨の時期など、湿気の多い気候の際は、調整部５０において、除湿機能をオンにして、鶏舎１０内を除湿することが好ましい。
【００５９】
以下、例えば温熱熱交換器２４によって加熱される第１媒体の温度である６５℃および９０℃の好ましい使い分け方法について説明する。
【００６０】
例えば、一般的な鶏舎では、幼雛の状態で鶏舎にいれた後、約５２日間で成鶏として出荷する。その後、清掃、殺菌、および乾燥を約１４日間で行い、合計約６６日を１サイクルで養育している。よって、１年間で、約５．５回転させる。ここで、清掃、殺菌、および乾燥が行われるいわゆる空舎期間は年間７７日間に相当する。
【００６１】
ここで、第１媒体が鶏舎１０内の暖房に供する際は、第１媒体の温度として例えば６５℃を用いることが好ましい。一方、第１媒体が空舎期間において鶏舎１０内の乾燥に供する際は、第１媒体の温度として例えば９０℃を用いることが好ましい。このように空舎期間において、第１媒体の温度を高温にすることで、乾燥期間を短くすることができ、空舎期間を例えば２日間短縮することができる。したがって、養鶏システム１の生産性の向上を図ることができる。
【００６２】
以上説明したように、本実施形態に係る養鶏システム１は、鶏が養育される鶏舎１０と、冷熱および温熱の少なくとも一方を取り出し可能なヒートポンプ２０と、鶏舎１０内の温度および湿度を調整する調整部５０とを有する。また、調整部５０は、調整部５０の内部を、ヒートポンプ２０から取り出される温熱によって加熱される第１媒体が循環する加熱経路３０、およびヒートポンプ２０から取り出される冷熱によって冷却される第２媒体が循環する冷却経路４０が通過するように構成されるとともに、鶏舎１０内を加湿するための加湿部５２を備える。このように構成された養鶏システム１によれば、ヒートポンプ２０から取り出される温熱によって加熱される第１媒体の加熱経路３０の循環をオフにするとともに、ヒートポンプ２０から取り出される冷熱によって冷却される第２媒体の冷却経路４０の循環をオンにすることによって、鶏舎１０内を冷房できる。また、ヒートポンプ２０から取り出される温熱によって加熱される第１媒体の加熱経路３０の循環をオンにするとともに、ヒートポンプ２０から取り出される冷熱によって冷却される第２媒体の冷却経路４０の循環をオフにすることによって、鶏舎１０内を暖房できる。また、ヒートポンプ２０から取り出される温熱によって加熱される第１媒体の加熱経路３０の循環をオンにするとともに、ヒートポンプ２０から取り出される冷熱によって冷却される第２媒体の冷却経路４０の循環をオンにすることによって、鶏舎１０内を除湿できる。また、加湿部５２によって鶏舎１０内を加湿できる。以上から、全天候型であって、１つの構成部品（調整部５０）で冷暖房、除湿、および加湿を行うことのできる養鶏システム１を提供することができる。
【００６３】
また、調整部５０は、第３加熱経路３４および第２冷却経路４３を洗浄する洗浄部５３を有する。このように構成された養鶏システム１によれば、第３加熱経路３４および第２冷却経路４３を好適に洗浄することができる。
【００６４】
また、調整部５０には、鶏舎１０内への鳥の侵入を防止するフィン５４が取り付けられている。このように構成された養鶏システム１によれば、鶏舎１０内に鳥が侵入することを防止でき、鶏または雛を鶏舎１０内で好適に養育することができる。
【００６５】
また、調整部５０のうち鶏舎１０の舎内側には、調整部５０から噴出される風の向きを調整する調整板５５が設けられる。このように構成された養鶏システム１によれば、上述したように、季節や月齢に応じて、調整板５５の向きを調整することによって、養育環境を好適にすることができる。
【００６６】
＜変形例１＞
次に、図４を参照して、変形例１に係る養鶏システム２の構成について説明する。図４は、変形例１に係る養鶏システム２を示す概略斜視図である。
【００６７】
変形例１に係る養鶏システム２は、実施形態に係る養鶏システム１に対して、鶏舎１０の長手方向に調整部５０が複数設けられる点において異なる。
【００６８】
このように構成された変形例１に係る養鶏システム２によれば、鶏舎１０内における温度ムラや湿度ムラを低減させて、鶏舎１０の温度および湿度をより好適に調整することができる。
【００６９】
なお、変形例１に係る養鶏システム２において、複数の調整部５０のうち一部を、水を散水して気化させ気化熱で鶏舎１０内を冷却することのできる冷水フィルタに取り換えてもよい。この構成によれば、養鶏システムを安価にすることができる。
【００７０】
なお、本発明は上述した実施形態に限定されるものではなく、特許請求の範囲内で種々改変することができる。
【００７１】
例えば、上述した実施形態では、家畜舎システムとして鶏を養育する養鶏システムに適用されたが、豚等の養育にも適用することができる。
【００７２】
また、上述した実施形態では、調整部５０は、ケース５１の内部を第３加熱経路３４および第２冷却経路４３が通過するように構成された。しかしながら、水を散水して気化させ気化熱で鶏舎１０内を冷却することのできる冷水フィルタの空隙に、第３加熱経路３４および第２冷却経路４３を通過させることによって調整部を構成させてもよい。この構成によれば、既存の冷水フィルタに対して、第３加熱経路３４および第２冷却経路４３を通過させるだけで調整部５０としての機能を備えるため、容易に調整部を構成することができる。
【００７３】
また、上述した実施形態では、養鶏システム１は、洗浄部５３、フィン５４、および調整板５５を有した。しかしながら、洗浄部５３、フィン５４、および調整板５５は設けられていなくてもよい。
【００７４】
また、上述した変形例１では、調整部５０は鶏舎１０の長手方向に複数設けられた。しかしながら、調整部５０は鶏舎１０の短手方向に複数設けられてもよい。
【００７５】
また、上述した実施形態では、加熱経路３０は加熱タンク３２を有し、冷却経路４０は冷却タンク４２を有した。しかしながら、加熱経路は加熱タンクを備えず、冷却経路は冷却タンクを備えなくてもよい。このとき、ヒートポンプから取り出される冷熱および温熱を排熱するための放熱器が設けられていることが好ましい。
【００７６】
また、上述した実施形態では、調整部５０は、１つの鶏舎１０内の温度および湿度を調整した。しかしながら、調整部は、複数の鶏舎１０内の温度および湿度を調整する構成であってもよい。この構成によれば、調整部５０の稼働率を向上させることができる。
【００７７】
また、上述した実施形態では、調整部５０は、鶏舎１０に取り付けられていた。しかしながら、調整部５０は、鶏舎１０に直接取り付けられていなくてもよく、ダクト方式によって、鶏舎１０の温度および湿度を調整してもよい。
【００７８】
また、上述した実施形態では、加湿部は水を噴霧して鶏舎１０内を加湿したが、加湿部は水蒸気を供給して鶏舎１０内を加湿してもよい。
【００７９】
また、上述した実施形態では、加熱経路３０は、第１加熱経路３１と、加熱タンク３２と、第２加熱経路３３と、第３加熱経路３４と、を有したが、加熱経路は第２加熱経路を有していなくてもよい。
【００８０】
また、上述した実施形態では、冷却経路４０は、第１冷却経路４１と、冷却タンク４２と、第２冷却経路４３と、を有したが、冷却経路はさらに他の経路を備えていてもよい。
【００８１】
また、上述した実施形態では、調整部５０において、鶏舎１０内を除湿するには、第１媒体の循環をオフにするとともに、第２媒体の循環をオンにした。しかしながら、鶏舎１０内を除湿するために、第１媒体の循環をオンにするとともに、第２媒体の循環をオンにしてもよい。
【００８２】
また、上述した実施形態では、空気を冷却することにより発生する結露を利用して除湿するいわゆるコンプレッサー方式によって、除湿する形態を説明した。しかしながら、乾燥剤に水分を吸着させることにより、除湿するいわゆるデシカント方式によって、除湿してもよい。このようにデシカント方式を採用することによって、より好適に家畜舎内を除湿することができる。
【符号の説明】
【００８３】
１、２    養鶏システム（家畜舎システム）、
１０    鶏舎（家畜舎）、
２０    ヒートポンプ、
３０    加熱経路、
３１    第１加熱経路、
３２    加熱タンク、
３３    第２加熱経路、
３４    第３加熱経路、
４０    冷却経路、
４１    第１冷却経路、
４２    冷却タンク、
４３    第２冷却経路、
５０    調整部、
５１    ケース、
５２    加湿部、
５３    洗浄部、
５４    フィン、
５５    調整板。
【図１】
2019087335.tif 000003
【図２】
2019087335.tif 000004
【図３】
2019087335.tif 000005
【図４】
2019087335.tif 000006
【国際調査報告】
2019087335.tif 000007
2019087335.tif 000008
2019087335.tif 000009
2019087335.tif 000010